(57)【要約】【課題】潜熱回収型熱交換部４ｂを有する熱交換器４と暖房端末との間で水を循環させる暖房回路９に介設したシスターン１０と、シスターンに水を補給する補水弁１３と、潜熱回収型熱交換部で発生したドレンの排水路７に介設した中和器８とを備える暖房用熱源機であって、中和器は、内部の水位が所定レベル以上になったときに燃焼排ガスの通過を阻止可能な水封状態になるように構成されるものにおいて、中和器用の専用の給水弁を用いずに中和器を水封状態に維持できるようにする。【解決手段】シスターン１０に連なるオーバーフロー管１５を中和器８に接続する。そして、水位検知手段８ｆにより中和器８内の水位が所定レベルより低くなったことが検知されたときに、補水弁１３を開弁させて、シスターン１０からオーバーフローした水を中和器８に補給する。【選択図】図１
2011043290.tif 000002
【特許請求の範囲】
【請求項１】
バーナと、バーナの燃焼排ガスの潜熱を回収する潜熱回収型熱交換部を有する熱交換器と、暖房端末と熱交換器との間で循環ポンプの作動により水を循環させる暖房回路に介設したシスターンと、シスターンに水を補給する補水弁と、潜熱回収型熱交換部で発生したドレンの排水路に介設した中和器とを備える暖房用熱源機であって、
中和器は、ドレンの流入側に位置する流入側貯留部と、ドレンの排出側に位置する流出側貯留部と、流入側貯留部と流出側貯留部とを連通する連通部とを有し、中和器内の水位が所定レベル以上になったときに、連通部が水面下に沈んで燃焼排ガスの通過を阻止可能な水封状態になるように構成され、
中和器内の水位が所定レベル以上であるか否かを検知する水位検知手段と、水位が所定レベルより低くなったときに、中和器に水を補給する制御手段とを備えるものにおいて、
シスターンに連なるオーバーフロー管を中和器に接続し、制御手段は、水位検知手段により水位が所定レベルより低くなったことが検知されたときに、補水弁を開弁させて、シスターンからオーバーフローした水をオーバーフロー管を介して中和器に補給する制御を行うように構成されることを特徴とする暖房用熱源機。
【請求項２】
前記制御手段は、前記補水弁を開弁させて前記暖房回路に水を注入する水張り時に、前記シスターンから水をオーバーフローさせて、前記中和器に水を注入する制御を行うように構成されることを特徴とする請求項１記載の暖房用熱源機。
【発明の詳細な説明】
【技術分野】
【０００１】
本発明は、暖房端末に温水を供給する暖房用熱源機に関する。
【背景技術】
【０００２】
従来、この種の暖房用熱源機として、バーナと、バーナの燃焼排ガスの潜熱を回収する潜熱回収型熱交換部を有する熱交換器と、暖房端末と熱交換器との間で循環ポンプの作動により水を循環させる暖房回路に介設したシスターンと、シスターンに水を補給する補水弁とを備えるものは知られている。
【０００３】
ここで、潜熱回収型熱交換部では、燃焼排ガス中の水分が凝縮して強酸性のドレンが発生する。そのため、ドレンの排水路に中和器を介設して、ドレンを中和してから排出するようにしている。
【０００４】
ところで、ドレンの排水路の上流端は燃焼排ガスの通路に臨んでいるため、ドレンだけでなく燃焼排ガスまでが排水路を介して排出されてしまう可能性がある。そこで、従来、ドレンの流入側に位置する流入側貯留部と、ドレンの排出側に位置する流出側貯留部と、流入側貯留部と流出側貯留部とを連通する連通部とを有する中和器を用い、中和器内の水位が所定レベル以上になったときに、連通部が水面下に沈んで燃焼排ガスの通過を阻止可能な水封状態になるようにしたものが知られている（例えば、特許文献１参照）。
【０００５】
このものでは、中和器に接続される給水路に給水弁を介設すると共に、中和器内の水位が所定レベル以上であるか否かを検知する水位検知手段を設けて、水位が所定レベルより低くなったときに、給水弁を開弁して中和器に水を補給し、中和器が水封状態に維持されるようにしている。然し、これでは、中和器用の専用の給水弁が必要になり、コストが高くなる不具合がある。
【先行技術文献】
【特許文献】
【０００６】
【特許文献１】特開２００８−２９８３６７号公報
【発明の概要】
【発明が解決しようとする課題】
【０００７】
本発明は、以上の点に鑑み、中和器用の専用の給水弁を用いずに中和器を水封状態に維持できるようにした低コストの暖房用熱源機を提供することをその課題としている。
【課題を解決するための手段】
【０００８】
本発明は、バーナと、バーナの燃焼排ガスの潜熱を回収する潜熱回収型熱交換部を有する熱交換器と、暖房端末と熱交換器との間で循環ポンプの作動により水を循環させる暖房回路に介設したシスターンと、シスターンに水を補給する補水弁と、潜熱回収型熱交換部で発生したドレンの排水路に介設した中和器とを備える暖房用熱源機であって、中和器は、ドレンの流入側に位置する流入側貯留部と、ドレンの排出側に位置する流出側貯留部と、流入側貯留部と流出側貯留部とを連通する連通部とを有し、中和器内の水位が所定レベル以上になったときに、連通部が水面下に沈んで燃焼排ガスの通過を阻止可能な水封状態になるように構成され、中和器内の水位が所定レベル以上であるか否かを検知する水位検知手段と、水位が所定レベルより低くなったときに、中和器に水を補給する制御手段とを備えるものにおいて、上述した課題を解決するために、以下の事項を採用したことを特徴とする。
【０００９】
即ち、本発明は、シスターンに連なるオーバーフロー管を中和器に接続し、制御手段は、水位検知手段により水位が所定レベルより低くなったことが検知されたときに、補水弁を開弁させて、シスターンからオーバーフローした水をオーバーフロー管を介して中和器に補給する制御を行うように構成されることを特徴とする。
【００１０】
本発明によれば、暖房用熱源機に従来から設けられているシスターン用の補水弁によりシスターンを介して中和器に水を補給して、中和器を水封状態に維持できる。そのため、中和器用の専用の給水弁が不要になり、コストダウンを図ることができる。
【００１１】
また、本発明において、制御手段は、補水弁を開弁させて暖房回路に水を注入する水張り時に、シスターンから水をオーバーフローさせて、中和器に水を注入する制御を行うように構成されることが望ましい。これによれば、水張り時に中和器を水封状態にすることができ、水張り後の熱源機の暖房試運転時に燃焼排ガスがドレンの排水路から排出されることを防止できる。
【図面の簡単な説明】
【００１２】
【図１】本発明の実施形態の暖房用熱源機の構成を示す説明図。
【図２】実施形態の熱源機のコントローラが行う中和器に対する補水制御の内容を示すフロー図。
【図３】実施形態の熱源機のコントローラが行う水張り制御の内容を示すフロー図。
【発明を実施するための形態】
【００１３】
図１を参照して、１は暖房用熱源機のハウジングを示している。ハウジング１は缶体２を内蔵している。缶体２内には、下部にバーナ３が配置され、上部に熱交換器４が配置されている。缶体２の下端には、缶体２内に燃焼用空気を供給する燃焼ファン５が接続されている。
【００１４】
熱交換器４は、バーナ２の燃焼排ガスの顕熱を回収する顕熱回収型の第１熱交換部４ａと、燃焼排ガス中の水分を凝縮させて潜熱を回収する潜熱回収型の第２熱交換部４ｂとで構成されている。第２熱交換部４ｂの下側には、第２熱交換部４ｂで発生したドレンを受けるドレン受け６が設けられている。そして、ドレン受け６に連なる排水路７に中和器８を介設し、強酸性のドレンを中和器８で中和してから排出するようにしている。
【００１５】
また、図外の暖房端末と熱交換器４との間で後述する循環ポンプ１１の作動により水を循環させる暖房回路９が設けられている。尚、暖房端末は、浴室暖房機等の高温暖房端末と床暖房等の低温暖房端末とから成る。暖房回路９は、高温暖房端末及び低温暖房端末からの水を第２熱交換部４ｂに戻す流路９ａと、第２熱交換部４ｂに流れた水を第１熱交換部４ａに送る流路９ｂと、第１熱交換部４ａに流れた水を高温暖房端末に送る流路９ｃとを備えており、流路９ｂにシスターン１０と循環ポンプ１１とが介設されている。暖房回路９は、更に、循環ポンプ１１と第１熱交換部４ａとの間の流路９ｂの部分から分岐した、低温暖房端末に水を送る流路９ｄと、流路９ｃから分岐してシスターン１０に水を戻すバイパス弁９ｅを介設した流路９ｆとを備えている。
【００１６】
シスターン１０の上端には補水路１２が接続されており、この補水路１２に補水弁１３を介設している。また、シスターン１０内には、低水位電極１０ａと高水位電極１０ｂとが設けられている。そして、シスターン１０内の水位が低水位電極１０ａの下端より低くなって低水位電極１０ａがオフしたとき、制御手段たるコントローラ１４により補水弁１３を開弁させて、高水位電極１０ｂがオンするまでシスターン１０に水を補給するようにしている。シスターン１０には、更に、水位が熱膨張で所定の満タンレベル以上になったときに、オーバーフローした水を排水するためのオーバーフロー管１５が接続されている。
【００１７】
上記中和器８は、器体８ａの内部空間を、ドレンの流入側に位置する流入側貯留部８ｂと、ドレンの排出側に位置する流出側貯留部８ｃとに区画する隔壁８ｄを備えている。隔壁８ｄの下端は器体８ａの底面に達しておらず、隔壁８ｄの下端と器体８ａの底面との間に流入側貯留部８ｂと流出側貯留部８ｃとを連通する連通部８ｅが形成される。そして、中和器８内の水位が隔壁８ｄの下端のレベル以上になったときに、連通部８ｅが水面下に沈んで燃焼排ガスの通過を阻止可能な水封状態になるようにしている。尚、器体８ａ内には、図示省略した中和剤が充填されている。
【００１８】
また、中和器８内には、水位が隔壁８ｄの下端よりも若干高い所定レベル以上であるときにオンする水位検知手段たる水位電極８ｆが設けられている。そして、中和器８に、シスターン１０に連なる上記オーバーフロー管１５を接続し、コントローラ１４により、水位電極８ｆがオフしたとき補水弁１３を開弁させて、中和器８に水を補給する補水制御を行うようにしている。
【００１９】
中和器８に対する補水制御の詳細は、図２に示す通りであり、先ず、ＳＴＥＰ１で水位電極８ｆがオフしたか否かを判別する。中和器８内の水位が上記所定レベルよりも低くなって水位電極８ｆがオフしたときは、ＳＴＥＰ２に進んで、補水弁１３を開弁させる。この場合、シスターン１０の高水位電極１０ｂがオンしても補水弁１３は閉弁されず、シスターン１０からオーバーフローした水がオーバーフロー管１５を介して中和器８に補給される。
【００２０】
次に、ＳＴＥＰ３で水位電極８ｆがオンしたか否かを判別する。そして、中和器８内の水位が所定レベルに上昇して水位電極８ｆがオンしたとき、ＳＴＥＰ４で補水弁１３を閉弁させた後、ＳＴＥＰ１に戻り、上記補水制御を繰り返す。
【００２１】
このように、本実施形態では、シスターン１０用の補水弁１３によりシスターン１０を介して中和器８に水を補給して、中和器８を水封状態に維持できる。そのため、中和器８用の専用の給水弁が不要になり、コストダウンを図ることができる。
【００２２】
また、コントローラ１４は、熱源機設置後に水張りスイッチがオンされたとき、図３に示す水張り制御を行う。水張り制御では、先ず、ＳＴＥＰ１１で補水弁１３を開弁させると共に、ＳＴＥＰ１２で暖房端末に通水する図外の端末用熱動弁を開弁させて、暖房回路９に注水する。次に、ＳＴＥＰ１３でシスターン１０の高水位電極１０ｂがオンしたか否かを判別し、オンしたときに、ＳＴＥＰ１４に進んで、オンしてから所定時間（例えば、６０秒）経過したか否かを判別する。そして、所定時間経過したとき、ＳＴＥＰ１５で端末用熱動弁を閉弁させる。
【００２３】
次に、ＳＴＥＰ１６に進み、中和器８の水位電極８ｆがオンしたか否かを判別する。そして、水位電極８ｆがオンしたときに、ＳＴＥＰ１７で補水弁１３を閉弁させ、水張り制御を終了する。これによれば、水張り時に中和器８を水封状態にすることができ、水張り後の熱源機の試運転時に燃焼排ガスがドレンの排水路７から排出されることを防止できる。
【００２４】
以上、本発明の実施形態について図面を参照して説明したが、本発明はこれに限定されない。例えば、上記実施形態は、暖房用熱交換器４のみを有する暖房専用の熱源機に本発明を適用したものであるが、暖房用熱交換器と給湯用熱交換器とを併設した暖房及び給湯用の複合熱源機にも同様に本発明を適用できる。
【符号の説明】
【００２５】
３…バーナ、４…熱交換器、４ｂ…第２熱交換部（潜熱回収型熱交換部）、７…排水路、８…中和器、８ｂ…流入側貯留部、８ｃ…流出側貯留部、８ｅ…連通部、８ｆ…水位電極（水位検知手段）、９…暖房回路、１０…シスターン、１１…循環ポンプ、１３…補水弁、１４…コントローラ（制御手段）、１５…オーバーフロー管。
【図１】
2011043290.tif 000003
【図２】
2011043290.tif 000004
【図３】
2011043290.tif 000005